(57)【特許請求の範囲】
【請求項１】
対向して立設された一対の側板と、
高さ方向に蛇行する商品通路を形成するために前記側板の間であって奥行き方向の前後に対向して配設された複数のセグメントと、
前記側板と平行に配置され、前記セグメントの幅方向に販売商品の寸法に応じて複数設けた係合穴のうちの一部の係合穴に係合させることによって前記商品通路を区画する通路幅調整板とを備え、
前記通路幅調整板は、上下方向が長手方向となる穴を備え、該穴に前記側板間に水平に架け渡されたスルーピンを挿通した状態で水平方向および上下方向に移動可能に形成され、当該水平方向の移動によって商品通路幅を変更し、当該上下方向の移動によって前記セグメントの係合穴と係合させることにより当該商品通路幅の設定を確定するようにしたことを特徴とする自動販売機の商品収納棚。
【請求項２】
通路幅調整板は、スルーピンを挿通するカール部を有し、当該スルーピンを挿通した状態で水平方向の移動を可能にする連結板と、
前記スルーピンを挿通する長穴を有し、前記連結板に対して上下方向に相対移動可能となるように当該連結板を挟持する可動側板と、
を備えたことを特徴とする請求項１に記載の自動販売機の商品収納棚。
【発明の詳細な説明】
【０００１】
【発明の属する技術分野】
この発明は、自動販売機の商品収納棚に関し、さらに詳しくは、缶飲料やペットボトル飲料の商品を商品収納庫内に横倒し姿勢で上下方向に積み重ねて収納するサーペンタイン式商品ラックを備えた自動販売機において、その商品通路幅を調節でき、１つのラックで複数種類のサイズの商品を収納できる商品収納棚に関する。
【０００２】
【従来の技術】
サーペンタイン式商品ラックの商品通路幅を調節する手段として、たとえば、図１２に示すものが知られている。ここで、図１２は、従来における自動販売機の商品収納棚を示す正面図である。この商品収納棚は、商品通路を形成するために立設された左右一対の側板１０１と、この側板１０１間に水平に架け渡された複数のスルーピン１０２に設けられ、高さ方向に蛇行した商品通路を形成するための湾曲形状のセグメント１０３と、収納する商品Ｇのサイズに応じて商品通路幅を調節するために、リンク機構１０４によって配設位置を可変可能に形成された通路幅調整板１０５とを備えている。
【０００３】
また、他の従来技術として、上記のような通路幅調整板の一部を、上下に隣接するセグメントとセグメントの間から商品通路外に出して、当該部分を通路外に設けた取付金にネジ止め固定してなる自動販売機の商品収納棚も知られている。これは、販売商品を変えるときに前記ネジを取り外して通路幅調整板の取付位置（ネジの締結位置）を変えることにより、通路幅を調節するものである。
【０００４】
さらに、他の従来技術として、通路幅調整板に相当する部材を通路の上下２カ所（上部に配置したトップトレーおよび下部に配置したベンド機構）で支持する構造を備えた自動販売機の商品収納棚が、特開平８−５５２７３号公報に開示されている。
【０００５】
【発明が解決しようとする課題】
しかしながら、リンク機構１０４を備えた自動販売機の商品収納棚にあっては、構造が複雑化し、ラックの奥行き方向の厚みが増えてしまうとともに、リンク機構１０４が配置された部分には商品を収納できないという課題があった。
【０００６】
また、通路外からネジの締結位置を変えて通路幅を調節する上記従来技術にあっては、ネジの取り外しおよび締結作業を迅速に行えず、通路幅の調節に手間がかかるという課題があった。
【０００７】
さらに、特開平８−５５２７３号公報に開示された従来技術にあっては、通路幅調整板の高さ方向における中間部分が支持されていない構造のため、商品の当接による通路幅調整板の変形を防止するために、当該通路幅調整板に所定の剛性を持たせるべく、その板厚を大きくしなければならないという課題があった。
【０００８】
この発明は、上記に鑑みてなされたものであって、薄い通路幅調整板によって商品通路幅を容易に調節することができ、簡易かつ薄型構造の自動販売機の商品収納棚を提供することを目的とする。
【０００９】
【課題を解決するための手段】
上述の目的を達成するために、この発明の請求項１にかかる自動販売機の商品収納棚は、対向して立設された一対の側板と、高さ方向に蛇行する商品通路を形成するために前記側板の間であって奥行き方向の前後に対向して配設された複数のセグメントと、前記側板と平行に配置され、前記セグメントの幅方向に販売商品の寸法に応じて複数設けた係合穴のうちの一部の係合穴に係合させることによって前記商品通路を区画する通路幅調整板とを備え、前記通路幅調整板は、上下方向が長手方向となる穴を備え、該穴に前記側板間に水平に架け渡されたスルーピンを挿通した状態で水平方向および上下方向に移動可能に形成され、当該水平方向の移動によって商品通路幅を変更し、当該上下方向の移動によって前記セグメントの係合穴と係合させることにより当該商品通路幅の設定を確定するようにしたものである。
【００１０】
通路幅調整板を持ち上げ、設定すべき通路幅に対応するセグメントの係合穴に位置するように水平方向にスライドさせてからこれを離せば、当該通路幅調整板が係合穴に差し込まれ、通路幅の設定が容易に完了する。このように通路幅を設定することにより、多様化した商品を容易に収納・販売できるとともに、通路幅調整板の両側に商品を収納できるので、収納効率をアップすることができる。
【００１１】
また、この発明の請求項２にかかる自動販売機の商品収納棚は、通路幅調整板は、スルーピンを挿通するカール部を有し、当該スルーピンを挿通した状態で水平方向の移動を可能にする連結板と、前記スルーピンを挿通する長穴を有し、前記連結板に対して上下方向に相対移動可能となるように当該連結板を挟持する可動側板とを備えたものである。
【００１２】
したがって、簡易な構造によって通路幅調整板を薄く構成できるとともに、連結板を芯材とすることによって十分な剛性を確保できる。
【００１３】
【発明の実施の形態】
以下、この発明にかかる自動販売機の商品収納棚の実施の形態につき図面を参照しつつ詳細に説明する。なお、この実施の形態によりこの発明が限定されるものではない。
【００１４】
図１は、この発明の実施の形態にかかる通路幅調整板を示す斜視図、図２は、自動販売機の商品収納棚を示す斜視図、図３は、前方のセグメントを取り外した状態の自動販売機の商品収納棚を示す斜視図、図４は、通路幅調整板を取り付けた状態を示す要部斜視図、図５は、係止穴に係止された通路幅調整板を示す拡大斜視図、図６は、商品案内装置を示す正面斜視図、図７は、商品案内装置を示す背面斜視図、図８および図９は、商品案内装置によって通路幅調整板を持ち上げる過程を示す説明図である。
【００１５】
まず、本発明の全体構成について説明する。図２および図３に示すように、左右一対の側板１は、商品通路を形成するために立設されたものであり、多数のスルーピン２が水平に架け渡されている。また、このスルーピン２には、蛇行した商品通路を形成するために湾曲状に形成された複数のセグメント３が揺動自在に配設されている。
【００１６】
このセグメント３の下端部付近には、後述する通路幅調整板４の係止部４ａを差し込んで係止するための係止穴３ａが、調整すべき通路幅に対応して水平方向に複数個設けられている。この係止穴３ａは、図４および図５に示すように、ほぼ逆三角形状に穿設され、上方から差し込まれる通路幅調整板４の係止部４ａの位置決めが容易になるように形成してある。なお、セグメント３の上端部付近にも同一形状の係止穴が設けられているが、これはセグメント３を上下いずれの向きであっても配設できるように、上下対称形状に形成したからである。
【００１７】
つぎに、本発明の要部たる通路幅調整板４について説明する。通路幅調整板４は、商品通路を左右に２分割するために設けられたものであり、たとえば、特殊亜鉛鋼板にて形成されている。この通路幅調整板４は、図１に示すように、上端部付近に設けられた長穴４ｂにスルーピン２が挿通されて上下方向に移動可能に形成されているとともに、カール部４ｃにスルーピン２が挿通されて水平方向にも移動可能に形成されている。
【００１８】
すなわち、通路幅調整板４は、カール部４ｃを備え補強部材としても機能する連結板５を可動側板６，６で相対移動可能に挟持し、薄く（たとえば、２ｍｍ以内の厚み）形成してある。この構造によって、カール部４ｃにスルーピン２が挿通された状態であっても、通路幅調整板４（一体となった２枚の可動側板６）が上下に移動できるようになっている。段状に形成された係止部４ｄは、後述する商品案内装置７の受部９ａを係止するためのものである。
【００１９】
なお、上述した商品収納棚の下部には、図示しない商品搬出装置や商品出口調整板等が配設されるようになっている。
【００２０】
また、図６および図７に示す商品案内装置７は、自動販売機の奥に配置された上記商品収納棚における通路幅調整板４の配設位置を設定操作するとともに、商品の収納時に当該商品を案内するためのものである。なお、商品通路内に商品を最大数収納したときに、さらにいくつかの商品を収容するための収容棚として機能させることもできる。
【００２１】
この商品案内装置７は、奥行き方向に向かって下方に傾斜するように前記側板１に設置されるトップトレイ８と、このトップトレイ８の幅を前述した通路幅と同一サイズに区画するために、当該トップトレイ８上に着脱自在に立設されたトップガイド９とを備えている。トップトレイ８に設けられた係合穴８ａは、トップガイド９の係合爪９ｅを係合させるために、設定すべき通路幅に対応して複数穿設されている。トップトレイ８のカール部８ｂには、トップガイド９のカール部９ｂが回動自在にはめ込まれている。
【００２２】
すなわち、トップガイド９をこのカール部９ｂを回動中心としてトップトレイ８に対して回動させることにより、受け部９ａを持ち上げ、これと係止部４ｄで係合した通路幅調整板４を持ち上げることができるようになっている。また、通路幅調整板４を持ち上げた状態で、トップガイド９を左右いずれかにスライドさせた後、係合爪９ｅを係合穴８ａに係合させることで、通路幅調整板４の位置を設定することができるようになっている。
【００２３】
また、トップガイド９は、ガイド板９ｃ，９ｆを凹部９ｇにて溶接し、かつ、折り返し部９ｈをその内方に形成してある。このようにトップガイド９の両面に凸部をなくすことで、商品の案内・収納時に怪我を防止できるとともに、商品の姿勢を乱したり、傷にしたりすることを防止できるように構成してある。係合片８ｃ，８ｄは、前述した側板１の適宜位置に設けられたスルーピン２に係合させるためのものである。
【００２４】
つぎに通路幅調整板４の位置決め動作について説明する。商品収納棚が自動販売機の前側に配置され、通路幅調整板４の上部を把持できる場合には、当該部分を把持して持ち上げ、設定すべき通路幅に対応するセグメント３の係止穴３ａに通路幅調整板４の係止部４ａが位置するように水平方向にスライドさせ、把持していた通路幅調整板４を離せば、当該各係止部４ａが係止穴３ａに順次差し込まれ、通路幅の設定が完了する。
【００２５】
一方、商品収納棚が自動販売機の奥側に配置され、通路幅調整板４の上部を把持できない場合には、上記動作を商品案内装置７のトップガイド９で行う。すなわち、図８および図９に示すように、トップガイド９をカール部９ｂを回動中心としてトップトレイ８に対して回動させることにより、受け部９ａを持ち上げ、これと係止部４ｄで係合した通路幅調整板４を持ち上げる。そして、通路幅調整板４を持ち上げた状態で、トップガイド９を左右いずれかにスライドさせた後、係合爪９ｅを係合穴８ａに係合させることで、各係止部４ａが係止穴３ａに差し込まれ、通路幅の設定が完了する。
【００２６】
なお、上述した手順にて、通路幅調整板４で商品通路を２等分することによって、当該通路幅調整板４の両側にいわゆるハーフサイズの商品を収納できるが、通路幅調整板４を側板１に当接するように最端部に位置させることで、いわゆるロングサイズの商品を収納することもできる。
【００２７】
以上のように、この実施の形態にかかる自動販売機の商品収納棚によれば、薄い通路幅調整板４によって商品通路幅を容易に調節することができるので、多様化したサイズの商品販売に対応でき、簡易かつ薄型構造の商品収納棚を提供できる。
【００２８】
また、簡易な構造によって通路幅調整板４を薄く構成できるとともに、連結板５を芯材とすることによって十分な剛性を確保できる。さらに、通路幅調整板４の両側に商品を収納できるので、収納効率をアップすることができる。
【００２９】
なお、上記実施の形態においては、通路幅調整板４に長穴４ｂを設けるものとして説明したが、これに限定されず、たとえば、図１０および図１１に示すように、くの字状の穴４ｅを設けてもよい。
【００３０】
このように形成することにより、商品の太さの違いによって商品案内装置７の配設位置を変更した場合であっても、受部９ａと係止部４ｄとの確実な係合を担保できるとともに、通路幅調整板４の持ち上げ移動量のばらつきを防止することができる。ここで、図１０および図１１は、商品案内装置によって通路幅調整板を持ち上げる過程を示す説明図である。
【００３１】
また、係止部４ａの突出量を加減することにより、係止部４ａの係止穴３ａに対する差込代を、通路幅調整板４の上方から下方に向かって順次小さく形成してもよい。
【００３２】
このように形成することにより、通路幅調整板４を持ち上げた状態からこれを離すと、上部に位置する係止部４ａが係止穴３ａに順次差し込まれるのにしたがって、下部に位置する係止部４ａの位置が係止穴３ａにさらに円滑に誘導され、差し込まれるようになることが期待できる。
【００３３】
【発明の効果】
以上説明したように、この発明にかかる自動販売機の商品収納棚（請求項１）によれば、対向して立設された一対の側板と、高さ方向に蛇行する商品通路を形成するために前記側板の間であって奥行き方向の前後に対向して配設された複数のセグメントと、前記側板と平行に配置され、前記セグメントの幅方向に販売商品の寸法に応じて複数設けた係合穴のうちの一部の係合穴に係合させることによって前記商品通路を区画する通路幅調整板とを備え、前記通路幅調整板は、上下方向が長手方向となる穴を備え、該穴に前記側板間に水平に架け渡されたスルーピンを挿通した状態で水平方向および上下方向に移動可能に形成され、当該水平方向の移動によって商品通路幅を変更し、当該上下方向の移動によって前記セグメントの係合穴と係合させることにより当該商品通路幅の設定を確定するようにしたので、通路幅の設定を容易に行うことができ、多様化した商品を容易に収納・販売できる。また、通路幅調整板の両側に商品を収納できるので、収納効率をアップすることができる。
【００３４】
また、この発明にかかる自動販売機の商品収納棚（請求項２）によれば、通路幅調整板は、スルーピンを挿通するカール部を有し、当該スルーピンを挿通した状態で水平方向の移動を可能にする連結板と、前記スルーピンを挿通する長穴を有し、前記連結板に対して上下方向に相対移動可能となるように当該連結板を挟持する可動側板とを備えたので、簡易な構造によって通路幅調整板を薄く構成できるとともに、連結板を芯材とすることによって十分な剛性を確保できる。
【図面の簡単な説明】
【図１】この発明の実施の形態にかかる通路幅調整板を示す斜視図である。
【図２】自動販売機の商品収納棚を示す斜視図である。
【図３】前方のセグメントを取り外した状態の自動販売機の商品収納棚を示す斜視図である。
【図４】通路幅調整板を取り付けた状態を示す要部斜視図である。
【図５】係止穴に係止された通路幅調整板を示す拡大斜視図である。
【図６】商品案内装置を示す正面斜視図である。
【図７】商品案内装置を示す背面斜視図である。
【図８】商品案内装置によって通路幅調整板を持ち上げる過程を示す説明図である。
【図９】商品案内装置によって通路幅調整板を持ち上げる過程を示す説明図である。
【図１０】商品案内装置によって通路幅調整板を持ち上げる過程を示す説明図である。
【図１１】商品案内装置によって通路幅調整板を持ち上げる過程を示す説明図である。
【図１２】従来における自動販売機の商品収納棚を示す正面図である。
【符号の説明】
１  側板
２  スルーピン
３  セグメント
３ａ  係止穴
４  通路幅調整板
４ａ、４ｄ  係止部
４ｂ  長穴
４ｃ  カール部
５  連結板
６  可動側板
【図１】
0003956577.tif 000002
【図２】
0003956577.tif 000003
【図３】
0003956577.tif 000004
【図４】
0003956577.tif 000005
【図５】
0003956577.tif 000006
【図６】
0003956577.tif 000007
【図７】
0003956577.tif 000008
【図８】
0003956577.tif 000009
【図９】
0003956577.tif 000010
【図１０】
0003956577.tif 000011
【図１１】
0003956577.tif 000012
【図１２】
0003956577.tif 000013